【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
ユーザ機器(UE)において動作可能なワイヤレス通信の方法であって、
前記UEにおいて、ネットワークとの1つまたは複数の接続を確立するステップと、
第1のリソース割振りにおいて、前記UEの1つまたは複数のリソースを前記1つまたは複数の接続に割り振るステップと、
前記第1のリソース割振りから第2のリソース割振りへの変更に応答して、前記UEの瞬時UE能力情報(IUCI)を動的に決定するステップと、
前記接続のうちの少なくとも1つを維持している間に、前記1つまたは複数の接続の間で潜在的なリソース割振り競合を軽減するために、前記IUCIを前記ネットワークに送信するステップであって、
前記IUCIを送信するステップが、前記IUCIを、第1の時間期間の間はPHY信号として、第2の時間期間の間は媒体アクセス制御(MAC)プロトコルデータユニット(PDU)として送信するステップを含み、
前記第1の時間期間が、前記第2の時間期間よりも短く、
前記IUCIが、所定の時間期間の間の前記UEの能力を示す、
ステップと
を含む方法。
【請求項２】
前記IUCIを送信する前記ステップが、
前記IUCIを1つまたは複数のPHY信号として送信するステップ、
前記IUCIを1つまたは複数のMAC PDUとして送信するステップ、
前記IUCIを1つまたは複数の無線リンク制御(RLC)PDUとして送信するステップ、
前記IUCIを1つまたは複数のパケットデータコンバージェンスプロトコル(PDCP)PDUとして送信するステップ、または
前記IUCIを1つまたは複数の無線リソース制御(RRC)メッセージとして送信するステップ
のうちの少なくとも1つを含む、請求項1に記載の方法。
【請求項３】
前記IUCIが、前記1つまたは複数の接続に対応する前記UEの前記能力を示すように構成されたチャネル品質インジケータ(CQI)値を含む、請求項1に記載の方法。
【請求項４】
前記IUCIが、前記1つまたは複数の接続に対応する前記UEの前記能力を示すように構成されたMAC制御要素を含む、請求項1に記載の方法。
【請求項５】
前記IUCIを動的に決定する前記ステップが、
前記接続のうちの少なくとも1つを維持している間に、第1の送信時間間隔(TTI)における第1のIUCIを決定し、第2のTTIにおける第2のIUCIを決定するステップを含み、
前記第1のIUCIが、前記1つまたは複数のリソースの前記割振りの変更に対応する前記第2のIUCIとは異なる、
請求項1に記載の方法。
【請求項６】
前記IUCIが、スループット、割振り帯域幅、二重モード、測定利用可能性ステータス、または干渉消去ステータスのうちの少なくとも1つを含む、請求項1に記載の方法。
【請求項７】
前記IUCIが、前記IUCIが前記ネットワークによって考慮される有効な時間期間を示すように構成される、請求項1に記載の方法。
【請求項８】
ネットワークノードにおいて動作可能なワイヤレス通信の方法であって、
前記ネットワークノードにおいて、ユーザ機器(UE)との1つまたは複数の接続を確立するステップと、
第1のリソース割振りにおいて、前記ネットワークノードの1つまたは複数のリソースを前記1つまたは複数の接続に割り振るステップと、
前記第1のリソース割振りから第2のリソース割振りへの変更に応答して、前記ネットワークノードの瞬時ネットワーク能力情報(INCI)を動的に決定するステップと、
前記接続のうちの少なくとも1つを維持している間に、前記1つまたは複数の接続の間で潜在的なリソース割振り競合を軽減するために、前記INCIを前記UEに送信するステップであって、
前記IUCIを送信するステップが、前記INCIを、第1の時間期間の間はPHY信号として、第2の時間期間の間は媒体アクセス制御(MAC)プロトコルデータユニット(PDU)として送信するステップを含み、
前記第1の時間期間が、前記第2の時間期間よりも短く、
前記INCIが、所定の時間期間の間の前記ネットワークノードの能力を示す、
ステップと
を含む方法。
【請求項９】
前記INCIを送信する前記ステップが、
前記INCIを1つまたは複数のPHY信号として送信するステップ、
前記INCIを1つまたは複数のMACPDUとして送信するステップ、
前記INCIを1つまたは複数の無線リンク制御(RLC)PDUとして送信するステップ、または
前記INCIを1つまたは複数のパケットデータコンバージェンスプロトコル(PDCP)PDUとして送信するステップ
のうちの少なくとも1つを含み、
前記INCIが、スループット、割振り帯域幅、二重モード、測定利用可能性ステータス、または干渉消去ステータスのうちの少なくとも1つを含む、
請求項8に記載の方法。
【請求項１０】
前記1つまたは複数のリソースが、通信チャネル、処理能力、無線周波数リソース、またはメモリリソースのうちの少なくとも1つを含む、請求項1または8に記載の方法。
【請求項１１】
前記1つまたは複数の接続が、複数の無線リソース制御(RRC)接続を含む、請求項1または8に記載の方法。
【請求項１２】
前記INCIを決定する前記ステップが、
前記接続のうちの少なくとも1つを維持している間に、第1の送信時間間隔(TTI)における第1のINCIを決定し、第2のTTIにおける第2のINCIを決定するステップを含み、
前記第1のINCIが、前記1つまたは複数のリソースの前記割振りの変更に対応する前記第2のINCIとは異なる、
請求項8に記載の方法。
【請求項１３】
ユーザ機器(UE)であって、
ネットワークとの1つまたは複数の接続を確立するように構成された通信インターフェースと、
ソフトウェアを含むメモリと、
前記通信インターフェースおよび前記メモリに動作可能に結合された少なくとも1つのプロセッサとを備え、
前記少なくとも1つのプロセッサが、前記ソフトウェアによって構成されると、
第1のリソース割振りにおいて、前記UEの1つまたは複数のリソースを前記1つまたは複数の接続に割り振るように構成されたリソース制御ブロックと、
前記第1のリソース割振りから第2のリソース割振りへの変更に応答して、前記UEの瞬時UE能力情報(IUCI)を動的に決定するように構成された能力決定ブロックと、
前記接続のうちの少なくとも1つを維持している間に、前記1つまたは複数の接続の間で潜在的なリソース割振り競合を軽減するために、前記IUCIを前記ネットワークに送信するように構成された能力更新ブロックであって、
前記能力更新ブロックが、前記IUCIを、第1の時間期間の間はPHY信号として、第2の時間期間の間は媒体アクセス制御(MAC)プロトコルデータユニット(PDU)として送信するように構成され、
前記第1の時間期間が、前記第2の時間期間よりも短く、
前記IUCIが、所定の時間期間の間の前記UEの能力を示す、
能力更新ブロックと
を含む、ユーザ機器(UE)。
【請求項１４】
ネットワークノードであって、
ユーザ機器(UE)との1つまたは複数の接続を確立するように構成された通信インターフェースと、
ソフトウェアを含むメモリと、
前記通信インターフェースおよび前記メモリに動作可能に結合された少なくとも1つのプロセッサとを備え、
前記少なくとも1つのプロセッサが、前記ソフトウェアによって構成されると、
第1のリソース割振りにおいて、前記ネットワークノードの1つまたは複数のリソースを前記1つまたは複数の接続に割り振るように構成されたリソース制御ブロックと、
前記第1のリソース割振りから第2のリソース割振りへの変更に応答して、前記ネットワークノードの瞬時ネットワーク能力情報(INCI)を動的に決定するように構成された能力決定ブロックと、
前記接続のうちの少なくとも1つを維持している間に、前記1つまたは複数の接続の間で潜在的なリソース割振り競合を軽減するために、前記INCIを前記UEに送信するように構成された能力更新ブロックであって、
前記能力更新ブロックが、前記INCIを、第1の時間期間の間はPHY信号として、第2の時間期間の間は媒体アクセス制御(MAC)プロトコルデータユニット(PDU)として送信するように構成され、
前記第1の時間期間が、前記第2の時間期間よりも短く、
前記INCIが、所定の時間期間の間の前記ネットワークノードの能力を示す、
前記能力更新ブロックと
を含む、ネットワークノード。
【請求項１５】
請求項1から12の内のいずれか一項に記載の方法をコンピュータに実行させるためのコードを備える、コンピュータ可読記憶媒体。